(57)【特許請求の範囲】
【請求項１】
光軸の周りを回転する回転環を有すると共に、該回転環の回転ストローク分の長さを備えた多芯ケーブルを、灯体側に設けた出力部から前記回転環周縁に設けた入力部にわたって配設するスポットライトであって、上記回転環の外周に沿ってケーブル収納用のガイドレールを設けると共に、そのガイドレール上にはテンションローラを摺動可能に配設し、且つ該テンションローラは付勢部材によってガイドレールの長さ方向一側へ付勢し、上記多芯ケーブルの中途部を前記テンションローラに掛け渡し、前記ガイドレールの長さ方向他側に前記多芯ケーブルを沿わしめ収納するスポットライト。
【請求項２】
上記付勢部材が定荷重ぜんまいであり、そのぜんまい巻取りドラムを上記ガイドレールの長さ方向所定箇所に設置すると共に、該巻取りドラムから引き出されるぜんまい先端部を上記テンションローラに固定して、該テンションローラをガイドレールの長さ方向一側へ付勢した請求項１記載のスポットライト。
【請求項３】
上記多芯ケーブルが、上記ガイドレール内に収納可能な平ケーブルである請求項１又は２記載のスポットライト。
【請求項４】
上記回転環を灯体の前側に配設すると共に、該回転環には複数枚の羽根を開閉動自在に取り付けてバンドアを形成し、且つ回転環には前記羽根を開閉させる電動駆動手段を各羽根ごとに内蔵し、さらに上記多芯ケーブルはそれら各電動駆動手段に電源を供給するための弱電ケーブルである請求項１〜３のいずれか１項記載のスポットライト。
【発明の詳細な説明】
【０００１】
【発明の属する技術分野】
本発明はスポットライトに関し、さらに詳しくは、バンドアやカッター部等を形成する複数枚の羽根が、光軸を中心に電動回転するよう構成したスポットライトにおける多芯ケーブルの処理構造に関する。
【０００２】
【従来の技術】
従来から、パン、チルト、フォーカスの調整などがリモートコントロールできる機能をもった所謂リモコンスポットライトが知られており、近年においては、バンドアの開閉や回転もリモートコントロール可能なリモコンスポットライトが提供されている。その一例を図６に示す。
【０００３】
このリモコンスポットライトは、門型アーム１００によって上下回動自在に支持した灯体１０１の前面に固定枠１０２を設けると共に、その内部に空芯の回転環１０３を回転自在に装填し、その回転環１０３を光軸周りに回転させるための電動駆動手段は、固定枠１０２下部に設けたボックス１０４に内蔵されている。
また回転環１０３には上下左右４枚の羽根１０５を開閉動自在に取り付け、夫々の羽根１０５の開閉は、各羽根１０５ごとに設けた電動駆動手段の作動でなされるようになっている。それら電動駆動手段は回転環１０３に内蔵され、各電動駆動手段に電源を供給するための多芯ケーブル１０６ａ，１０６ｂは、アーム１００からボックス１０４を介して回転環１０３の外周所定箇所に取り入れ、そこから分岐して夫々の電動駆動手段へ接続するよう配線される。
門型アーム１００には、該アーム１００を水平方向へ回転させてパン動作を得る電動駆動手段１０７、灯体１０１を上下方向へ回動させてチルト動作を得る電動駆動手段１０８等が内蔵される。
【０００４】
【発明が解決しようとする課題】
ところで上述したスポットライトは、上記多芯ケーブル１０６ａ，１０６ｂが、パン、チルト、バンドア回転等の各種動作のストローク分の長さをもってアーム１００からボックス１０４を経て回転環１０３へと配線され、アーム１００からボックス１０４に至るケーブル１０６ａは特に問題ないものの、ボックス１０４から回転環１０３に至るケーブル１０６ｂの処理については改良の余地を残していた。
【０００５】
すなわち、上記ケーブル１０６ｂは、回転環１０３の回転ストローク（通常、±９０度）分の長さを備えて、灯体１０１側（ここではボックス１０４）に設けた出力部１０９から、回転環１０３周縁に設けた入力部１１０にわたって配設されるが、図示するように回転角度が最小に近い状態では余剰分が垂れ下がるようになり、該垂れ下がったケーブル１０６ｂが他のスポットライトから照射される光を遮ったり、羽根１０５の開閉作動や他の周辺機器等に引っ掛かる虞れがあった。
【０００６】
このような問題を解決するべく、回転環１０３に内蔵された各電動駆動手段への電源供給をスリップリングを用いて行うようにし、ケーブル１０６ｂが露出しないようにすることも考えられる。
しかし乍ら、回転環１０３の中心部分は光の通過部であるためスリップリングその他の機器を配設出来ないこと、ケーブル１０６ｂは多芯ケーブルであるため回転環１０３外周にスリップリングを形成した場合構造が複雑になること等に加え、ケーブル１０６ｂは弱電供給用であるためスリップリングを用いると供給が不確実になるという根本的な問題もあり、本発明者の知り得る範囲で上記問題を解消したものは未だ知られていない。
【０００７】
またこのようなケーブル処理の問題は上記したリモコンスポットライトに限られず、例えば本願出願人等による特願平８−２５８８３６号等に開示されるように、複数枚のカッター羽根と、それら各カッター羽根ごとに設けられ該カッター羽根をスライド／回転させる電動駆動手段とを、光軸の周りを回転する回転円板に取り付け、この回転円板を電動駆動手段で回転させるようにしてカッター部を構成したリモートコントロール式のカッタースポットライトにおいても生じる可能性がある。
【０００８】
本発明は上述した従来事情に鑑みてなされたもので、その目的とする処は、上記回転環の回転ストローク分の長さを備えて灯体側から回転環にわたって配線される多芯ケーブルを、灯体から垂れ下がるようなことなく処理でき、且つ電動駆動手段への電源の供給も確実になすことが可能なケーブル処理構造を備えた、新規なスポットライトを提供することにある。
【０００９】
【課題を解決するための手段】
上述の目的を達成するために、本発明に係るスポットライトは請求項１記載のように、上記回転環の外周に沿ってケーブル収納用のガイドレールを設けると共に、そのガイドレール上にはテンションローラを摺動可能に配設し、且つ該テンションローラは付勢部材によってガイドレールの長さ方向一側へ付勢し、上記多芯ケーブルの中途部を前記テンションローラに掛け渡し、前記ガイドレールの長さ方向他側に前記多芯ケーブルを沿わしめ収納するよう構成したことを特徴とする。
【００１０】
このように形成した場合、付勢部材が多芯ケーブルの中途部位をガイドレールの長さ方向一側へ常時付勢するので、多芯ケーブルは、上記入力部からテンションローラにわたる部分をガイドレールに沿って収納され、さらにテンションローラで折り返し上記出力部に至るが、その全長にわたって付勢部材の付勢力によるテンションがかかった状態にあり、下方へ垂れ下がるようなことはない。
さらに、回転環の回転量；θ1 と、テンションローラの回転量（移動量）；θ2 との比率θ1 ：θ2 が常に２：１となり、よって、付勢部材の出力量（伸縮量）を比較的少量として簡単な構造で上記作用を確実に得られ、本発明の効果をより実効あるものとし得る。
【００１１】
上記付勢部材としては、テンションローラをガイドレールの長さ方向一側へ付勢可能な付勢部材全てが採用可能であり、例えばコイルスプリングやぜんまい等があげられる。
コイルスプリングを用いる場合、その一端側をガイドレール上に固定し他端側をテンションローラに固定する。
またぜんまいを用いる場合、その巻取りドラムを上記ガイドレールの長さ方向所定箇所に設置すると共に、該巻取りドラムから引き出されるぜんまい先端部を上記テンションローラに固定する。
【００１２】
但し、付勢部材として上記コイルスプリングやぜんまいを用いた場合、回転環の回転に伴いその付勢力（弾発力）が変化し、換言すれば、回転環を回転させるための負荷が変化するようになる。
従って本発明では請求項２記載のように、請求項１の構成において、付勢部材が定荷重ぜんまい（所謂コンストンバネ）であり、そのぜんまい巻取りドラムを上記ガイドレールの長さ方向所定箇所に設置すると共に、該巻取りドラムから引き出されるぜんまい先端部を上記テンションローラに固定して、該テンションローラをガイドレールの長さ方向一側へ付勢するようにすることが好ましい。
【００１３】
このように形成した場合、定荷重ぜんまいは、たわみが変化してもその付勢力（弾発力）はほとんど一定なものであることから、回転環を回転させるための負荷が変化せず、該回転を安定して行わしめることができる。
またこの場合も、回転環の回転量；θ1 と、テンションローラの回転量（移動量）；θ2 との比率θ1 ：θ2 が常に２：１となり、よって、定荷重ぜんまいのぜんまい出力量を比較的少量として簡単な構造で上記作用を確実に得られ、本発明の効果をより実効あるものとし得る。
【００１４】
上記多芯ケーブルは丸ケーブルであっても良いが、その場合、該丸ケーブルとの相性を向上させるべく、テンションローラ外周面やガイドレール底面に丸溝（ガイド溝）を設ける等の配慮が必要になる。
よって本発明では請求項３記載のように、ガイドレール内に収納可能な平ケーブルであることが好ましい。
【００１５】
このように形成した場合、テンションローラやガイドレールに丸溝等を設ける必要はなく、平ケーブルである多芯ケーブルがテンションローラにより適正に押圧され、且つガイドレール内への納まりもよい。
【００１６】
本発明のスポットライトは上述の如く、バンドアを電動回転させるリモコンスポットライト、複数枚のカッター羽根を電動回転させるリモコンカッタースポットライト等、各種構造のスポットライトへの対応が可能である。
例えば、バンドアを電動回転させるリモコンスポットライトに対応させる場合は請求項４記載のように、回転環を灯体の前側に配設すると共に、該回転環には複数枚の羽根を開閉動自在に取り付けてバンドアを形成し、且つ回転環には前記羽根を開閉させる電動駆動手段を各羽根ごとに内蔵する構成があげられる。
【００１７】
尚、本発明でいう電動駆動手段とは、電動モータ等の駆動により歯車やベルト、軸等を適宜に作動せしめて所定の動作を得るための、この種技術分野において通常用いられる駆動機構を云う。
【００１８】
【発明の実施の形態】
以下、本発明の実施の形態の一例を図１〜図５を参照して説明する。
図中に示すスポットライトＡは、パン、チルト、フォーカスの調整に加えて、バンドアの開閉・回転もリモートコントロール可能なリモコンスポットライトである。
【００１９】
その基本的な構成は従来のリモコンスポットライトと同様のため詳述しないが、簡単に説明すれば、灯体１を上下回動自在に支持する門型アーム２に、該アーム２を水平方向へ回転させてパン動作を得る電動駆動手段３を設けると共に、灯体１を上下方向へ回動させてチルト動作を得る電動駆動手段４をアーム２の側辺部分に内蔵してある。
【００２０】
灯体１の前面には固定枠５を設けると共に、該固定枠５の前側に空芯の回転環６を回転自在に取り付けてある。
【００２１】
回転環６は中心部分に光の通過口である開口７を有する所定の厚さを備えた内部中空の環状体からなり、上記固定枠５と回転環６に設けた電動駆動手段により、所定の回転ストローク（通常、±９０度）をもって光軸の周りを回転するようになっている。
その電動駆動手段もこの種技術分野で周知な構造のため図示及び詳述を省略するが、簡単に説明すれば、モータ８の作動で回転する駆動歯車を回転環６に設け、この駆動歯車が噛合する外歯歯車を固定枠５側に設け、前記駆動歯車の駆動回転で回転環６が回転するよう構成される。
【００２２】
回転環６の前面には、上下左右４枚の羽根９を開閉動自在に取り付けてある。夫々の羽根９の開閉は、各羽根９ごとに設けた電動駆動手段１０の作動でなされるようになっており、それら電動駆動手段１０は回転環６に内蔵若しくは外設される。
【００２３】
上記各電動駆動手段１０に電源を供給するための多芯ケーブル１１は、回転環６の回転ストローク分の長さを備えた平ケーブルで、灯体１に固定状に設けた出力部１２から回転環６周縁に設けた入力部１３にわたって配設され、その入力部１３で分岐されて各電動駆動手段１０に接続される。
【００２４】
上記回転環６の外周に沿ってはケーブル収納用のガイドレール１４を設けると共に、そのガイドレール１４上にはテンションローラ１５が摺動可能に配設される。
【００２５】
ガイドレール１４は、回転環６の外周長さ方向に沿って左右の立上がり面１４ａ，１４ａを立ち上げ、且つそれら両面１４ａ，１４ａの間に、上記多芯ケーブル１１を収納可能な隙間Ｓを形成してなる。尚、本例では断面コ字形のレール材を回転環６の外周に取り付けて前記ガイドレール１４を形成しているが、回転環６の外周に前記立上がり面１４ａ，１４ａを直接形成してガイドレール１４とすることも可能である。
【００２６】
テンションローラ１５は、上記立上がり面１４ａ，１４ａの外側に位置する左右の側板１５ａ，１５ａの間にローラ１５ｂを架設したもので、付勢部材１６によってガイドレール１４の長さ方向一側（本例では、上記出力部１２と反対側）へ付勢される。
【００２７】
付勢部材１６は定荷重ぜんまい（所謂コンストンバネ）からなり、そのぜんまい巻取りドラム１６ａをガイドレール１４の長さ方向所定箇所、本例では上記入力部１３とほぼ対称に位置せしめて回転環６に設置し、ガイドレール１４の内底面１４ｂには巻取りドラム１６ａから引き出されるぜんまい１６ｂの出入口１７を開設する。
ぜんまい１６ｂはガイドレール１４内に収納される状態で摺動し、その先端部１６ｃは上記テンションローラ１５の後方延出片１５ｃに固定し、これによりテンションローラ１５が上記の如く付勢されるようになす。
【００２８】
そうして、上記多芯ケーブル１１の中途部を前記テンションローラ１５に掛け渡すをもって、前記ガイドレール１４の長さ方向他側（本例では、上記出力部１２側）に多芯ケーブル１１が沿わしめ収納されるようになる。
【００２９】
而して、以上の構成からなる多芯ケーブル処理構造を備えた本例のスポットライトによれば、定荷重ぜんまい１６が多芯ケーブル１１の中途部位を、ガイドレール１４の長さ方向における前記ケーブル出力部１２と反対方向へ常時付勢するので、多芯ケーブル１１は、上記入力部１３からテンションローラ１５にわたる部分をガイドレール１４に沿って収納され、さらにテンションローラ１５で折り返されて上記出力部１２に至り、その全長にわたって定荷重ぜんまい１６の付勢力によるテンションがかかった状態にある。
【００３０】
よって、回転環６がどのような回転角度にあっても、多芯ケーブル１１が下方へ垂れ下がるようなことはない。さらに多芯ケーブル１１は平ケーブルであるため、テンションローラ１５により適正に押圧され、且つガイドレール１４内への納まりも良いので、前記効果をより実効あるものとし得る。
【００３１】
また、定荷重ぜんまい１６はたわみが変化してもその付勢力（弾発力）はほとんど一定なものであり、よって回転環６を回転させるための負荷、すなわちモータ８にかかる負荷が変化せず、該回転を安定して行わしめることができる。
【００３２】
また定荷重ぜんまい１６は回転環６と一体に回転し、テンションローラ１５との離間寸法が変化しても、ぜんまい１６ｂの出力量の増減によって前記付勢力が一定に保持される。
さらに、上述した電動駆動手段による回転環６の回転量；θ1 と、テンションローラ１５の回転量（移動量）；θ2 との比率θ1 ：θ2 が常に２：１となり、よって、定荷重ぜんまいのぜんまい１６ｂ出力量を比較的少量として、簡単な構造で上記作用を得られ、本発明の効果をより実効あるものとしている。
【００３３】
以上、バンドアの開閉及び回転を電動駆動手段で行うようにしたリモコンスポットライトへの対応例について説明したが、本発明はこれに限定されず、請求項１〜３のいずれかに記載の構成を逸脱しない範囲で、適宜変更可能であることは云うまでもない。
【００３４】
【発明の効果】
本発明の多芯ケーブル処理構造を備えたスポットライトは以上説明したように構成したことから、下記の効果を奏する。
【００３５】
請求項１記載のスポットライトによれば、付勢部材の付勢力によって多芯ケーブルに所定のテンションをかけて回転環の外周に沿わしめ収納し、前記付勢力は回転体がどのような回転位置にあっても常時働くので、下方へ垂れ下がるようなことはない。
よって、バンドアの開閉や回転等を電動駆動手段により行うリモコンスポットライトや、複数枚のカッター羽根を電動駆動手段により各々回転させるリモコンカッタースポットライトに配設される電源供給用の弱電多芯ケーブルを適正に収納処理することができるものとして、この種技術分野で好適に用いることが出来る。
【００３６】
また請求項２記載のスポットライトによれば、上記多芯ケーブルの付勢を定荷重ぜんまいで行うことで、その付勢力を常時一定なものとして、回転環の回転を安定して行わしめ、電動駆動手段等に係る負担も軽減し得る。
【００３７】
請求項３記載のスポットライトによれば、多芯ケーブルを平ケーブルとすることでその収納処理がより確実になされるようにし、上記した効果をさらに実効あるものとし得る。
【００３８】
また請求項４記載のスポットライトによれば、上述した効果を有する新規なリモコンスポットライトを簡単な構造で提供し得、商品価値の向上や需要の増大を期待できる。
【図面の簡単な説明】
【図１】本発明に係るスポットライトの実施の形態の一例を示す正面図。
【図２】図１の右側面図。
【図３】図１の（Ｘ）−（Ｘ）線に沿う拡大断面図。
【図４】図１の（Ｙ）−（Ｙ）線に沿う拡大断面図。
【図５】作動状態を示す簡略図。
【図６】従来のスポットライトにおけるケーブル処理構造を示す斜視図。
【符号の説明】
Ａ：スポットライト
１：灯体
５：固定枠
６：回転環
９：羽根
１０：電動駆動手段
１１：多芯ケーブル
１２：ケーブル出力部
１３：ケーブル入力部
１４：ガイドレール
１５：テンションローラ
１６：定荷重ぜんまい（付勢部材）
【図１】
0003899156.tif 000002
【図２】
0003899156.tif 000003
【図３】
0003899156.tif 000004
【図４】
0003899156.tif 000005
【図５】
0003899156.tif 000006
【図６】
0003899156.tif 000007